(57)【特許請求の範囲】
【請求項１】
円盤状情報記録媒体と、該円盤状情報記録媒体への光の集光手段である対物レンズと、該対物レンズを保持し前記円盤状情報記録媒体へのフォーカスおよびラジアル方向に前記対物レンズを駆動する対物レンズ駆動装置と、受発光素子を備え、前記円盤状情報記録媒体からの反射光により所望の検出信号を得るために、前記対物レンズ駆動装置を移動することにより、前記対物レンズと前記受発光素子との相対位置調整がされているディスク記録再生装置において、前記対物レンズ駆動装置にフォーカス方向に貫通した切り欠き、もしくは穴を有する複数個の突起部を設け、前記受発光素子を保持する光学基台には、前記対物レンズ駆動装置の突起部を固定するための複数の凹部を有しており、該凹部に前記切り欠き、もしくは穴を有する突起部を光学的反応により接着固定する接着剤により固定したことを特徴とするディスク記録再生装置。
【請求項２】
突起部に設けた切り欠き、もしくは穴の形状をその突起部の上面と下面で異なる形状にしたことを特徴とする請求項１に記載のディスク記録再生装置。
【発明の詳細な説明】
【０００１】
【発明の属する技術分野】
本発明は、ディスク状の記録媒体に光スポットを照射し、光学的に情報を記録再生するディスク記録再生装置に関する。
【０００２】
【従来の技術】
近年、ディスク記録再生装置は、ＣＤ（Ｃｏｍｐａｃｔ  Ｄｉｓｃ）、ＭＤ（Ｍｉｎｉ  Ｄｉｓｃ）等においては装置の小型化と共に記録密度の向上が課題となっており、最近ではＤＶＤ（Ｄｉｇｉｔａｌ  Ｖｉｄｅｏ  Ｄｉｓｃ或いはＤｉｇｉｔａｌ  Ｖｅｒｓａｔｉｌｅ  Ｄｉｓｃ）等の大容量ディスクが注目をあびており、用途は年々多様化すると共に益々高密度・小型・高性能・高付加価値化している。
【０００３】
かかる光ディスクに用いられているディスク記録再生装置の従来の実施の形態について図面を用いながら説明する。
【０００４】
図２３は、従来のディスク記録再生装置の分解斜視図、図２４は、従来のディスク記録再生装置の組立斜視図、図２５は、従来のディスク記録再生装置のあおり調整部の側断面図である。
【０００５】
図２３、図２４、および図２５において、対物レンズ駆動装置１は、対物レンズ２を保持するレンズホルダ３が設けられている。レンズホルダ３の両側面には、レンズホルダ３を固定部４に対して２方向に可動に支持する弾性体５が上下にそれぞれ取付けられており、レンズホルダ３の中央部の孔には、フォーカシングコイル６およびトラッキングコイル７が固着されている。フォーカシングコイル６は、レンズホルダ３を固定部４に対し垂直方向矢印Ｆ方向に動かし、トラッキングコイル７はレンズホルダ３を固定部４に対し水平方向矢印Ｔ方向に動くように構成されている。さらに、固定部４は、対物レンズ駆動装置１を調整後、光学基台８に固定するためのベース９に固定されている。
【０００６】
また、ベース９の下面部には、球面凸部９ａが設けられており、光学基台８の一部に設けられている球面凹部８ａと摺動接触しており、あおりネジ１０を回転することにより、ベース９をθＲ、θＴ回転させる。なお、この時の回転中心は対物レンズ２の中心位置とする。
【０００７】
次に光学基台８には、反射ミラー１１が固定されていると共に、ホログラム素子、ビームスプリッター、折り返しミラー、偏向分離素子などからなる光学部品と半導体レーザ、光検出器などからなる受発光素子が一体的に構成されている光学ユニット１２がタンジェンシャル方向端面部に固定されている。
【０００８】
以上のように、対物レンズ駆動装置１と光学基台８と反射ミラー１１と、光学ユニット１２により光学ヘッド１３が構成されている。
【０００９】
以上のように構成された従来例であるところのディスク記録再生装置の対物レンズ駆動装置１と光学ユニット１２の相対位置調整について説明する。
【００１０】
光学ユニット１２は、例えば受光素子のトラッキング誤差信号の出力が略均一となるようにラジアル方向（Ｘ方向）、タンジェンシャル方向（Ｙ方向）に移動調整した後、光学基台８の端面部に接着剤などにより固定する。さらに、あおりネジ１０を回転させることにより、記録媒体１４（図示せず）と対物レンズ２との相対傾きの調整を行う。
【００１１】
【発明が解決しようとする課題】
しかし、上記従来の構成では、光学ユニット１２をＸ方向、およびＹ方向に移動することにより、光学ユニット１２と対物レンズ２の相対位置調整を行っていたため、その調整領域を予め確保しておく必要があり、光学ヘッド１３の小型化、薄型化が困難になるという問題が生じていた。
【００１２】
さらに、記録媒体１４と対物レンズ２の相対傾きを調整するために、ベース９の下面部に設けられた球面凸部９ａと光学基台８の一部に設けられた球面凹部８ａが必要になることにより、光学ヘッド１３の厚みが厚くなると共に、球面加工を行うためコストアップになるという問題が生じていた。
【００１３】
本発明は、上記した問題点に鑑み、光学ユニット１２を光学基台８に直接固定すると共に、ベース９の下面部に設けられた球面凸部９ａと光学基台８の一部に設けられた球面凹部８ａとを廃止することにより、光学ヘッド１３の全高を大幅に低減し、小型・薄型の光学ヘッド、およびディスク記録再生装置を提供することを目的とする。
【００１４】
【課題を解決するための手段】
上記課題を解決すべく、第１の本発明は、円盤状情報記録媒体と、該円盤状情報記録媒体への光の集光手段である対物レンズと、該対物レンズを保持し前記円盤状情報記録媒体へのフォーカスおよびラジアル方向に前記対物レンズを駆動する対物レンズ駆動装置と、受発光素子を備え、前記円盤状情報記録媒体からの反射光により所望の検出信号を得るために、前記対物レンズ駆動装置を移動することにより、前記対物レンズと前記受発光素子との相対位置調整がされているディスク記録再生装置において、前記対物レンズ駆動装置にフォーカス方向に貫通した切り欠き、もしくは穴を有する複数個の突起部を設け、前記受発光素子を保持する光学基台には、前記対物レンズ駆動装置の突起部を固定するための複数の凹部を有しており、該凹部に前記切り欠き、もしくは穴を有する突起部を光学的反応により接着固定する接着剤により固定したことを特徴とするディスク記録再生装置である。
【００１５】
また、第２の発明は、上記第１の発明において、突起部に設けた切り欠き、もしくは穴の形状をその突起部の上面と下面で異なる形状にしたものである。
【００２１】
【発明の実施の形態】
（第１の実施の形態）
次に、本発明の実施の形態について図面を用いながら説明する。
【００２２】
図１は、本実施の形態におけるディスク記録再生装置の分解斜視図、図２は、本実施の形態におけるディスク記録再生装置の組立斜視図である。
【００２３】
図１、図２において、対物レンズ駆動装置１は、対物レンズ２を保持するレンズホルダ３が設けられている。レンズホルダ３の両側面には、レンズホルダ３を固定部４に対して２方向に可動に支持する弾性体５が上下にそれぞれ取付けられており、レンズホルダ３の中央部の孔には、フォーカシングコイル６およびトラッキングコイル７が固着されている。フォーカシングコイル６は、レンズホルダ３を固定部４に対し垂直方向矢印Ｆ方向に動かし、トラッキングコイル７はレンズホルダ３を固定部４に対し水平方向矢印Ｔ方向に動くように構成されている。さらに、固定部４は、対物レンズ駆動装置１を調整後、光学基台８に固定するためのベース９に固定されている。ここで、ベース９には、光学基台８に固定するための突起部９が、設けられており、光学基台８には、突起部９と対向する位置に突起部９ｂを遊嵌し、かつ対物レンズ駆動装置の調整範囲を規定するように凹部８ｂが設けられている。
【００２４】
次に光学基台８には、反射ミラー１１が固定されていると共に、ホログラム素子、ビームスプリッター、折り返しミラー、偏向分離素子などからなる光学部品と半導体レーザ、光検出器などからなる受発光素子が一体的に構成されている光学ユニット１２がタンジェンシャル方向端面部に固定されている。
【００２５】
以上のように、対物レンズ駆動装置１と光学基台８と反射ミラー１１と、光学ユニット１２により光学ヘッド１３が構成されている。
【００２６】
以上のように構成されたディスク記録再生装置の対物レンズ駆動装置１と光学ユニット１２の相対位置調整について説明する。
【００２７】
外部治具のチャッキングピン（図示せず）により、ベース９の位置決め穴（図示せず）を保持し、対物レンズ２に入射する光軸と略直行する平面内で、対物レンズ駆動装置１を、例えば受光素子のトラッキング誤差信号の出力が略均一となるようにラジアル方向（Ｘ方向）、タンジェンシャル方向（Ｙ方向）に移動調整した後、記録媒体１４（図示せず）と対物レンズ２との相対角度を調整をするために、同様に外部治具を回転させることにより、対物レンズ駆動装置１をラジアル方向θＲ、およびタンジェンシャル方向θＴにそれぞれ回転させる。このようにして、平面内の位置調整と記録媒体１４の相対傾きを調整した後、凹部８ｂに接着剤１５を塗布し、凹部８ｂと突起部９ｂを固定することにより、光学基台８に対物レンズ駆動装置１を固定する。
【００２８】
以上のように、本実施の形態によれば、対物レンズ駆動装置に設けられた突起部と、受発光素子を保持する光学基台には、対物レンズ駆動装置の突起部を固定するための凹部を有しており、凹部は突起部を固定すると共に、対物レンズ駆動装置の調整範囲を規定するように構成することにより、光学ヘッド１３の全高を大幅に低減し、小型・薄型の光学ヘッド、およびディスク記録再生装置を提供する対物レンズ駆動装置を光学基台に調整取り付ける際の対物レンズ駆動装置の調整範囲を予め規定することにより、対物レンズ駆動装置の相対位置調整の時間を短縮することができる。
（第２の実施の形態）
図３は、本実施の形態の分解斜視図、図４は、本実施の形態のディスク記録再生装置の組立斜視図である。
【００２９】
図３、図４において、図１、図２と同一の箇所は同一の番号を付し、説明を省略する。図１、図２と異なる箇所は、光学基台８に設けられた凹部８ｂを接着固定する近傍に調整範囲を考慮して袋状にしたことにある。
【００３０】
このことにより、接着剤の量を規定できると共に、接着剤のＹ方向の流れ込みを少なくすることにより、接着強度を増すという固有の効果を有する。
（第３の実施の形態）
次に、本発明第３の実施の形態について図面を用いながら説明する。
【００３１】
図５は、本実施の形態のディスク記録再生装置の分解斜視図、図６は、本実施の形態におけるディスク記録再生装置の組立斜視図である。第１、第２の実施の形態と異なる箇所は、固定する４カ所の固定方法を変えたことにある。
【００３２】
例えば、固定部４側の突起部９ｂ（図６においては、１５部）を固定する方法は、光学的反応などにより固化する接着剤１５を用いて固定する。さらに、その後、非固定部側の突起部９ｂ（図６においては、１７部）を固定は、半田付け等の蝋付け、もしくは溶接などのような金属的結合によって固定したことによる。
【００３３】
以上のように、本実施の形態によれば、固定部により固定方法を変えることによって、接着力は、金属結合により得、環境特性は、接着剤などの化学的手段により、得ることができるので、接着力と環境特性を併せ持つことができる。
（第４の実施の形態）
次に、本発明第４の実施の形態について図面を用いながら説明する。
【００３４】
図７は、本実施の形態のディスク記録再生装置の平面図、図８は、本実施の形態のディスク記録再生装置を説明するための補助平面図である。
【００３５】
図７、図８おいて、図１、図２と同一の箇所は、同一の番号を付し、説明を省略する。図１、図２と異なる箇所は、光学基台８に設けられた凹部８ｂのラジアル方向の幅を規定したことにある。
【００３６】
すなわち、図７に示すように、ベース９に設けられた突起部９ｂのラジアル方向の最大幅をＷ１、ラジアル方向に相対向する光学基台８に設けられた凹部８ｂのラジアル方向の最大幅をＷ２、凹部８ｂのラジアル方向の幅をＷ３とすると、Ｗ１、Ｗ２、Ｗ３において、式１の関係にあるように構成されている。
【００３７】
Ｗ１＞Ｗ２−Ｗ３                                  （式１）
Ｗ１≦Ｗ２−Ｗ３                                  （式２）
式１のように各幅を規定することによって、図８に示すような各幅が式２のような関係にある時と比較すると、ベース９に設けられた突起部９ｂが、光学基台８に設けられた凹部８ｂと必ず嵌合するので、対物レンズ駆動装置１が、光学基台８から落下しない（式２に示すような関係の時、突起部９ｂと凹部８ｂの嵌合がはずれ、対物レンズ駆動装置１が光学基台８から落下する場合がある）。
【００３８】
また、レンズホルダ３を弾性支持する弾性体５と光学基台８の底面部と接触しないように構成できるので、弾性体５の曲がりなどの損傷を防ぐことができる。
【００３９】
以上のように、本実施の形態によれば、対物レンズ駆動装置に設けられた突起部と、受発光素子を保持する光学基台には、対物レンズ駆動装置の突起部を固定するための凹部を有しており、凹部は突起部を固定すると共に、対物レンズ駆動装置の調整範囲を規定するように構成し、光学基台に設けられたラジアル方向、あるいはタンジェンシャル方向に相対向する凹部の内側間隔より、対物レンズ駆動装置に設けられたラジアル方向、あるいはタンジェンシャル方向に相対向する突起部の外側間隔が大なるように構成することにより、光学ヘッド１３の全高を大幅に低減し、小型・薄型の光学ヘッド、およびディスク記録再生装置を提供する対物レンズ駆動装置を光学基台に調整取り付ける際の対物レンズ駆動装置の調整範囲を予め規定することにより、対物レンズ駆動装置の相対位置調整の時間を短縮することのできると共に、対物レンズ駆動装置を調整する際の対物レンズ駆動装置が光学基台より、落下するのを防止すると共に、レンズホルダを弾性支持する弾性部材の損傷を防ぐことができる。
（第５の実施の形態）
次に、本発明第４の実施の形態について図面を用いながら説明する。
【００４０】
図９は、本実施の形態のディスク記録再生装置の平面図、図１０は、本実施の形態のディスク記録再生装置を説明するための一分拡大断面図である。
【００４１】
図９、図１０において、図１、図２と同一の箇所は、同一の番号を付し、説明を省略する。図１、図２と異なる箇所は、ベース９に設けられた突起部９ｂの一分にフォーカス方向に貫通した切り欠き、もしくは穴を設けたことにある。
【００４２】
対物レンズ駆動装置１と光学基台８を固定する接着剤に光学的に反応し、硬化する接着剤を用いた場合、図１０（ａ）に示すように、紫外線等の光はベース９の突起部９ｂの下部８ｂにまで、到達し、光学基台８に設けられた凹部８ｂに挿入された接着剤全体が硬化し、対物レンズ駆動装置１と光学基台８は、種々の調整後所定の位置に接着固定される。
【００４３】
しかしながら、図１０（ｂ）に示すように、フォーカス方向に貫通した切り欠き、もしくは穴が無い場合は、突起部９ｂの下部８ｂに光が到達しないので、光学的反応が起こりにくくなるので、硬化していない場合があり、種々の調整後、光学基台８に対して対物レンズ駆動装置１の相対位置がずれる、あるいは、硬化時間に時間がかかるなどの問題が生じる。
【００４４】
以上のように、本実施の形態によれば、対物レンズ駆動装置の突起部にフォーカス方向に貫通した切り欠き、もしくは穴を設けたことにより、光学的な反応により接着固定する接着剤を用いた場合、対物レンズ駆動装置と光学基台との接着強度を向上すると共に、接着時間の短縮を図ることができる。
（第６の実施の形態）
次に、本発明第６の実施の形態について図面を用いながら説明する。
【００４５】
図１１は、本実施の形態のディスク記録再生装置の平面図、図１２は、本実施の形態のディスク記録再生装置を説明するための一分拡大断面図である。
【００４６】
図１１、図１２において、図１、図２と同一の箇所は、同一の番号を付し、説明を省略する。図１、図２と異なる箇所は、ベース９に設けられた突起部９ｂの一分に段付きフォーカス方向に貫通した切り欠き、もしくは穴を設けたことにある。
【００４７】
対物レンズ駆動装置１と光学基台８を固定する接着剤に光学的に反応し、硬化する接着剤を用いた場合、図１２（ａ）に示すように、光はベース９の突起部９ｂの下部８ｂにまで、到達し、光学基台８に設けられた凹部８ｂに挿入された接着剤全体が硬化し、対物レンズ駆動装置１と光学基台８は、種々の調整後所定の位置に接着固定される。
【００４８】
しかしながら、図１２（ｂ）に示すように、フォーカス方向に貫通した切り欠き、もしくは穴が無い場合は、突起部９ｂの下部８ｂに紫外線等の光が到達しないので、光学的反応が起こりにくくなるので、硬化していない場合があり、種々の調整後、光学基台８に対して対物レンズ駆動装置１の相対位置がずれる、あるいは、硬化時間に時間がかかるなどの問題が生じる。
【００４９】
さらに、フォーカス方向に貫通した切り欠き、もしくは穴の形状を段付き穴にすることにより、半径の大きい穴部に接着剤が充填されるので、Ｚ方向の抜け強度が大きくなる。さらに、ストレート穴の場合、穴がアパーチャー（開口）になり、穴の下面部にしか光が到達しないが、段付き穴の場合、突起部９ｂの下部周辺に散乱光が到達するので、接着時間が短くなる。
【００５０】
以上のように、本実施の形態によれば、対物レンズ駆動装置の突起部にフォーカス方向に貫通した切り欠き、もしくは穴を設けたことにより、光学的な反応により接着固定する接着剤を用いた場合、対物レンズ駆動装置と光学基台との接着強度をさらに向上すると共に、接着時間の短縮を図ることができる。
【００５１】
なお、本実施の形態においては、フォーカス方向に貫通した切り欠き、もしくは穴を段付き穴としたが、突起部の上面と下面で形状が異なればよく、例えばテーパ穴でもよく、本実施の形態に限るものではない。
（第７の実施の形態）
次に、本発明第７の実施の形態について図面を用いながら説明する。
【００５２】
図１３は、本実施の形態のディスク記録再生装置の平面図、図１４は、本実施の形態のディスク記録再生装置の調整方法の一例を示すための分解斜視図である。
【００５３】
図１３、図１４において、図１、図２と同一の箇所は、同一の番号を付し、説明を省略する。図１、図２と異なる箇所は、ベース９に設けられたラジアル方向に相対向する突起部９ｂの一分に、その中心のラジアル方向間隔がＷＬであるところのフォーカス方向に貫通した切り欠き、もしくは穴を設け、光学基台８の開口部の内の対物レンズ駆動装置１を取り付けるために設けた凹部８ｂのラジアル方向に相対向する各凹部８ｂの内側間隔をＷｂとし、こららのＷＬとＷｂが略略等しくしたことにある。
【００５４】
さらに、図１４に示すように、光学基台８の底面にＬＥＤ等発光素子からなる、発光手段１５と、発光手段１５と相対向する位置、かつ光学基台８の上方部には、受光素子などからなる光学基台の平面位置検出手段１６が設けられている。
【００５５】
ここで、その動作について説明する。
【００５６】
発光手段１５は、図１３、および図１４においては、４カ所の突起部９ｂに照射されるように構成されており、発光手段１５と相対向する位置に設けられた受光素子等からなる平面位置検出手段１６によって、対物レンズ駆動装置１の位置を検出し、ＸＹ方向位置調整、ならびにあおり調整を行う前に、外部治具のチャッキングピン（図示せず）により、保持されている対物レンズ駆動装置１を平面内の設計中心位置に移動する。このように予め対物レンズ駆動装置１を平面内の設計中心位置に移動することによって、その後のＸＹ方向調整、ならびにあおり調整時間を短縮することができる。
（第８の実施の形態）
次に、本発明第８の実施の形態について図面を用いながら説明する。
【００５７】
図１５は、本実施の形態のディスク記録再生装置のラジアル方向断面図、図１６は、本実施の形態のディスク記録再生装置の比較例として本実施の形態の構成を採用しない場合のディスク記録再生装置のラジアル方向断面図である。
【００５８】
図１５、図１６において、図１、図２と同一の箇所は、同一の番号を付し、説明を省略する。図１、図２と異なる箇所は、ベース９に設けられた突起部９ｂの上端面部をラジアル方向に面取りしたことにある。
【００５９】
まず、あおり調整を行う前段階は、対物レンズ駆動装置１は、図１５（ａ）、図１６（ａ）の状態に外部治具のチャッキングピン（図示せず）により保持されている。ここで、例えば、Ｏを中心として外部治具によりあおり調整を行った場合、図１５（ｂ）、図１６（ｂ）に示す通りになる。
【００６０】
図１６（ｂ）のように、対物レンズ駆動装置１を接着剤１５で固定した比較例の場合、突起部９ｂに上面側にラジアル方向の面取りを行わなかった場合、接着剤１５が、光学基台８の上面部より盛り上がることになり、高さ方向が不利となる。また、光学基台８の上面部よりも接着剤１５が盛り上がらないように構成した場合、接着力が低下する。
【００６１】
しかし、本実施の形態のように、ベース９に設けられた突起部９ｂの上端面部をラジアル方向に面取りをすることによって、図１６（ｂ）に示すように、あおり調整を行い、その結果、例え所定の角度をあおり調整を行っても、光学基台８の上面部から、接着剤１５が盛り上がることもなく、さらに突起部９ｂの上面部に接着剤１５を充填することができるので、接着力を保つことができる。
【００６２】
なお、図１５においては、突起部９ｂのラジアル方向の面取りを所定の角度で行っているが、ラジアル方向の外側端面部が突起部９ｂの上端面部より低くなればよく、例えば、階段状に外側端面部が低くなっていればよく、形状は、本実施の形態に限ったものではない。
（第９の実施の形態）
次に、本発明第９の実施の形態について図面を用いながら説明する。
【００６３】
図１７は、本実施の形態のディスク記録再生装置のタンジェンシャル方向断面図、図１８は、本実施の形態に対する比較例として、本発明の構成を採用しなかった場合のディスク記録再生装置のタンジェンシャル方向断面図である。
【００６４】
なお、図１７、図１８において、図（ａ）は、あおり調整する前の断面図、図（ｂ）はあおり調整後の断面図、図（ｃ）はあおり調整後の突起部の断面図である。
【００６５】
図１７、図１８において、図１、図２と同一の箇所は、同一の番号を付し、説明を省略する。図１、図２と異なる箇所は、ベース９に設けられた突起部９ｂの上端面部をタンジェンシャル方向に面取りしたことにある。
【００６６】
まず、あおり調整を行う前段階は、対物レンズ駆動装置１は、図１７（ａ）、図１８（ａ）の状態に外部治具のチャッキングピン（図示せず）により保持されている。ここで、例えば、Ｏを中心として外部治具によりあおり調整を行った場合、図１７（ｂ）、（ｃ）、図１８（ｂ）、（ｃ）に示す通りになる。
【００６７】
図１８（ｃ）のように、対物レンズ駆動装置１を接着剤１５で固定した場合、突起部９ｂの上端面部にタンジェンシャル方向の面取りを行わなかった場合、接着剤１５が、光学基台８の上面部より盛り上がることになり、高さ方向が不利となる。
【００６８】
また、光学基台８の上面部よりも接着剤１５が盛り上がらないように構成した場合、接着力が低下する。しかし、本実施の形態のように、ベース９に設けられた突起部９ｂの上端面部をタンジェンシャル方向に面取りをすることによって、図１７（ｃ）に示すように、例えあおり調整を行い、その結果、例え所定の角度をあおり調整を行っても、光学基台８の上面部から、接着剤１５が盛り上がることもなく、さらに突起部９ｂの上面部に接着剤１５を充填することができるので、接着力を保つことができる。
【００６９】
なお、図１７においては、突起部９ｂのタンジェンシャル方向の面取りを所定の角度で行っているが、タンジェンシャル方向の外側端面部が突起部９ｂの上端面部より低くなればよく、例えば、階段状に外側端面部が低くなっていればよく、形状は、本実施の形態に限ったものではない。
（第１０の実施の形態）
次に、本発明第１０の実施の形態について図面を用いながら説明する。
【００７０】
図１９は、本実施の形態のディスク記録再生装置のラジアル方向断面図、図２０は、本実施の形態のディスク記録再生装置の比較例として、本実施の形態の構成を採用しない場合のディスク記録再生装置のラジアル方向断面図である。
【００７１】
図１９、図２０において、図１、図２と同一の箇所は、同一の番号を付し、説明を省略する。図１、図２と異なる箇所は、ベース９に設けられた突起部９ｂの下端面部をラジアル方向に面取りしたことにある。
【００７２】
まず、あおり調整を行う前段階は、対物レンズ駆動装置１は、図１９（ａ）、図２０（ａ）の状態に外部治具のチャッキングピン１６により保持されている。ここで、例えば、Ｏを中心として外部治具によりあおり調整を行った場合、図１９（ｂ）、図２０（ｂ）に示す通りになる。
【００７３】
図２０（ｂ）のように、突起部９ｂの下側面にラジアル方向の面取りを行わなかった場合、ディスク記録再生装置の厚みから光学基台８の厚みが制限される場合、チャッキングピン１６の高さを逃げるために設けられた凹部８ｃにより、凹部８ｂの深さが決まるので、突起部９ｂの端部が凹部８ｂの底面部と干渉し、あおり調整が十分にできない可能性がある。
【００７４】
しかし、本実施の形態のように、ベース９に設けられた突起部９ｂの下端面部をラジアル方向に面取りをすることによって、図１９（ｂ）に示すように、例えあおり調整を行い、その結果、例え所定の角度をあおり調整を行っても、凹部８ｂと突起部９ｂが干渉することなくあおり調整が可能となる。
【００７５】
なお、図１９においては、突起部９ｂのラジアル方向の面取りを所定の角度で行っているが、ラジアル方向の外側端面部が突起部９ｂの下端面部より高くなればよく、例えば、階段状に外側端面部が高くなっていればよく、形状は、本実施の形態に限ったものではない。
（第１１の実施の形態）
次に、本発明第１１の実施の形態について図面を用いながら説明する。
【００７６】
図２１は、本実施の形態のディスク記録再生装置のタンジェンシャル方向断面図、図２２は、本実施の形態のディスク記録再生装置の比較例として、本実施の形態の構成を採用しなかった場合のディスク記録再生装置のタンジェンシャル方向断面図である。
【００７７】
なお、図２１、図２２において、図（ａ）は、あおり調整する前の断面図、図（ｂ）はあおり調整後の断面図、図（ｃ）はあおり調整後の突起部の断面図である。
【００７８】
図２１、図２２において、図１、図２と同一の箇所は、同一の番号を付し、説明を省略する。図１、図２と異なる箇所は、ベース９に設けられた突起部９ｂの下端面部をタンジェンシャル方向に面取りしたことにある。
【００７９】
まず、あおり調整を行う前段階は、対物レンズ駆動装置１は、図２１（ａ）、図２２（ａ）の状態に外部治具のチャッキングピン（図示せず）により保持されている。ここで、例えば、Ｏを中心として外部治具によりあおり調整を行った場合、図２１（ｂ）、（ｃ）、図２２（ｂ）、（ｃ）に示す通りになる。
【００８０】
図２２（ｃ）に示すように、突起部９ｂの下側面にタンジェンシャル方向の面取りを行わなかった場合、ディスク記録再生装置の厚みから光学基台８の厚みが制限される場合、チャッキングピンの高さを逃げるために設けられた凹部８ｃにより、凹部８ｂの深さが決まるので、突起部９ｂの端部が凹部８ｂの底面部と干渉し、あおり調整が十分にできない可能性がある。
【００８１】
しかし、本実施の形態のように、ベース９に設けられた突起部９ｂの下端面部をタンジェンシャル方向に面取りをすることによって、図２２（ｃ）に示すように、例えあおり調整を行い、その結果、例え所定の角度をあおり調整を行っても、凹部８ｂと突起部９ｂが干渉することなくあおり調整が可能となる。
【００８２】
なお、図２２においては、突起部９ｂ下面部のタンジェンシャル方向の面取りを所定の角度で行っているが、タンジェンシャル方向の外側端面部が突起部９ｂの下端面部より高くなればよく、例えば、階段状に外側端面部が高くなっていればよく、形状は、本実施の形態に限ったものではない。
【００８３】
【発明の効果】
以上のように、本発明のディスク記録再生装置は、円盤状情報記録媒体と、該円盤状情報記録媒体への光の集光手段である対物レンズと、該対物レンズを保持し前記円盤状情報記録媒体へのフォーカスおよびラジアル方向に前記対物レンズを駆動する対物レンズ駆動装置と、受発光素子を備え、前記円盤状情報記録媒体からの反射光により所望の検出信号を得るために、前記対物レンズ駆動装置を移動することにより、前記対物レンズと前記受発光素子との相対位置調整がされているディスク記録再生装置において、前記対物レンズ駆動装置にフォーカス方向に貫通した切り欠き、もしくは穴を有する複数個の突起部を設け、前記受発光素子を保持する光学基台には、前記対物レンズ駆動装置の突起部を固定するための複数の凹部を有しており、該凹部に前記切り欠き、もしくは穴を有する突起部を光学的反応により接着固定する接着剤により固定したものであり、これによれば接着剤を硬化させる光が突起部の下部まで到達するため、凹部に挿入された接着剤全体が硬化して接着強度が向上すると共に、接着時間が短縮されるものである。
【００８４】
また、突起部に設けた切り欠き、もしくは穴の形状をその突起部の上面と下面で異なる形状にしたことにより、接着強度が向上する。
【図面の簡単な説明】
【図１】本発明の第１の実施の形態におけるディスク記録再生装置の分解斜視図
【図２】同組立斜視図
【図３】本発明の第２の実施の形態におけるディスク記録再生装置の分解斜視図
【図４】同組立斜視図
【図５】本発明の第３の実施の形態におけるディスク記録再生装置の分解斜視図
【図６】同組立斜視図
【図７】本発明の第４の実施の形態におけるディスク記録再生装置の平面図
【図８】同ディスク記録再生装置を説明するための補助平面図
【図９】本発明の第５の実施の形態におけるディスク記録再生装置の平面図
【図１０】同ディスク記録再生装置を説明するための一分拡大断面図
【図１１】本発明の第６の実施の形態におけるディスク記録再生装置の平面図
【図１２】同ディスク記録再生装置を説明するための一分拡大断面図
【図１３】本発明の第７の実施の形態におけるディスク記録再生装置の平面図
【図１４】同ディスク記録再生装置を調整方法の一例を示すための分解斜視図
【図１５】本発明の第８の実施の形態におけるディスク記録再生装置のラジアル方向断面図
【図１６】本発明の第８の実施の形態の比較例におけるディスク記録再生装置のラジアル方向断面図
【図１７】本発明の第９の実施の形態におけるディスク記録再生装置のタンジェンシャル方向断面図
【図１８】本発明の第９の実施の形態の比較例におけるディスク記録再生装置のタンジェンシャル方向断面図
【図１９】本発明の第１０の実施の形態におけるディスク記録再生装置のラジアル方向断面図
【図２０】本発明の第１０の実施の形態の比較例におけるディスク記録再生装置のラジアル方向断面図
【図２１】本発明の第１１の実施の形態におけるディスク記録再生装置のタンジェンシャル方向断面図
【図２２】本発明の第１１の実施の形態の比較例におけるディスク記録再生装置のタンジェンシャル方向断面図
【図２３】従来のディスク記録再生装置の分解斜視図
【図２４】従来のディスク記録再生装置の組立斜視図
【図２５】従来のディスク記録再生装置のあおり調整部の側断面図
【符号の説明】
１  対物レンズ駆動装置
２  対物レンズ
８  光学基台
８ｂ  凹部
９ｂ  突起部
【図１】
0003551075.tif 000002
【図２】
0003551075.tif 000003
【図３】
0003551075.tif 000004
【図４】
0003551075.tif 000005
【図５】
0003551075.tif 000006
【図６】
0003551075.tif 000007
【図７】
0003551075.tif 000008
【図８】
0003551075.tif 000009
【図９】
0003551075.tif 000010
【図１０】
0003551075.tif 000011
【図１１】
0003551075.tif 000012
【図１２】
0003551075.tif 000013
【図１３】
0003551075.tif 000014
【図１４】
0003551075.tif 000015
【図１５】
0003551075.tif 000016
【図１６】
0003551075.tif 000017
【図１７】
0003551075.tif 000018
【図１８】
0003551075.tif 000019
【図１９】
0003551075.tif 000020
【図２０】
0003551075.tif 000021
【図２１】
0003551075.tif 000022
【図２２】
0003551075.tif 000023
【図２３】
0003551075.tif 000024
【図２４】
0003551075.tif 000025
【図２５】
0003551075.tif 000026